(57)【要約】  ハイブリッド・マイクロ波減衰器回路の抵抗構成要素は、入力信号の複数の周波数を減衰させるように構成されている。このハイブリッド・マイクロ波減衰器回路はさらに、入力信号の周波数範囲内の第２の複数の周波数の部分を反射することによって周波数範囲内の第２の複数の周波数を減衰させる分散構成要素を備えるように構成されている。この抵抗構成要素と分散構成要素は、ハイブリッド・マイクロ波減衰器回路内で、互いに対して直列構成で配列されている。
2021535591.tif 000002
【特許請求の範囲】
【請求項１】
２つのポートを有するハイブリッド・マイクロ波減衰器回路であって、
入力信号の複数の周波数を減衰させるように構成された抵抗構成要素と、
前記入力信号の周波数範囲内の第２の複数の周波数の部分を反射することによって前記周波数範囲内の前記第２の複数の周波数を減衰させるように構成された分散構成要素であり、前記抵抗構成要素と前記分散構成要素が、前記ハイブリッド減衰器の前記２つのポート間に、互いに対して直列構成で配列されている、前記分散構成要素と
を備える、回路。
【請求項２】
前記分散構成要素が、低域フィルタおよび高域フィルタをさらに備える、請求項１に記載の回路。
【請求項３】
前記低域フィルタが、前記入力信号のキュービット周波数範囲内の周波数および前記キュービット周波数範囲よりも高い周波数に関して、しきい減衰よりも大きな減衰を提供し、前記高域フィルタが、前記伝送信号の前記キュービット周波数範囲内の周波数および前記キュービット周波数範囲よりも低い周波数に関して、前記しきい減衰よりも大きな減衰を提供する、請求項２に記載の回路。
【請求項４】
前記低域フィルタが、誘導素子と容量素子の構成を含み、前記構成が、前記容量素子のうちの少なくとも１つの容量素子が外部導体に結合されている構成であり、前記外部導体が、ハイブリッド減衰器ケースまたはハウジングの部分である、請求項２または３のいずれかに記載の回路。
【請求項５】
前記高域フィルタが、誘導素子と容量素子の構成を含み、前記構成が、前記誘導素子のうちの少なくとも１つの誘導素子が外部導体に結合されている構成であり、前記外部導体が、前記ハイブリッド減衰器ケースまたはハウジングの部分である、請求項２ないし４のいずれかに記載の回路。
【請求項６】
前記分散構成要素が、帯域通過フィルタをさらに備える、請求項１ないし５のいずれかに記載の回路。
【請求項７】
前記帯域通過フィルタが、前記伝送信号のキュービット周波数範囲の外側の周波数に関して、しきい減衰よりも大きな減衰を提供する、請求項６に記載の回路。
【請求項８】
前記帯域通過フィルタが、誘導素子と容量素子の構成を含み、前記構成が、前記容量素子のうちの一部の容量素子が、前記ハイブリッド減衰器の内部導体と直列に接続されて直流遮断物として動作する構成であり、前記誘導素子のうちの一部の誘導素子が、前記ハイブリッド減衰器の内部導体と外部導体との間に接続されている、請求項６または７のいずれかに記載の回路。
【請求項９】
前記抵抗構成要素が、Ｔ型配列またはπ型配列に構成された一組の抵抗素子を備える、請求項１ないし８のいずれかに記載の回路。
【請求項１０】
前記抵抗構成要素が、前記入力信号の全ての周波数に関して、しきい減衰よりも大きな減衰を提供する、請求項１ないし９のいずれかに記載の回路。
【請求項１１】
方法であって、
入力信号（伝送信号）の複数の周波数を減衰させるように抵抗構成要素を構成すること、および
前記入力信号の周波数範囲内の第２の複数の周波数の部分を反射することによって前記周波数範囲内の前記第２の複数の周波数を減衰させるように、分散構成要素を構成すること
を含み、前記抵抗構成要素と前記分散構成要素が、ハイブリッド減衰器の２つのポート間に、互いに対して直列構成で配列されている、
方法。
【請求項１２】
前記分散構成要素が、低域フィルタおよび高域フィルタをさらに備える、請求項１１に記載の方法。
【請求項１３】
前記低域フィルタが、前記入力信号のキュービット周波数範囲内の周波数および前記キュービット周波数範囲よりも高い周波数に関して、しきい減衰よりも大きな減衰を提供し、前記高域フィルタが、前記伝送信号の前記キュービット周波数範囲内の周波数および前記キュービット周波数範囲よりも低い周波数に関して、前記しきい減衰よりも大きな減衰を提供する、請求項１２に記載の方法。
【請求項１４】
前記低域フィルタが、誘導素子と容量素子の構成を含み、前記構成が、前記容量素子のうちの少なくとも１つの容量素子が外部導体に結合されている構成であり、前記外部導体が、ハイブリッド減衰器ケースまたはハウジングの部分である、請求項１２または１３のいずれかに記載の方法。
【請求項１５】
前記高域フィルタが、誘導素子と容量素子の構成を含み、前記構成が、前記誘導素子のうちの少なくとも１つの誘導素子が外部導体に結合されている構成であり、前記外部導体が、前記ハイブリッド減衰器ケースまたはハウジングの部分である、請求項１２ないし１４のいずれかに記載の方法。
【請求項１６】
前記分散構成要素が、帯域通過フィルタをさらに備える、請求項１１ないし１５のいずれかに記載の方法。
【請求項１７】
前記帯域通過フィルタが、前記伝送信号のキュービット周波数範囲の外側の周波数に関して、しきい減衰よりも大きな減衰を提供する、請求項１６に記載の方法。
【請求項１８】
前記帯域通過フィルタが、誘導素子と容量素子の構成を含み、前記構成が、前記容量素子のうちの一部の容量素子が、前記ハイブリッド減衰器の内部導体と直列に接続されて直流遮断物として動作する構成であり、前記誘導素子のうちの一部の誘導素子が、前記ハイブリッド減衰器の内部導体と外部導体との間に接続されている、請求項１６または１７のいずれかに記載の方法。
【請求項１９】
前記抵抗構成要素が、Ｔ型配列またはπ型配列に構成された一組の抵抗素子を備える、請求項１６ないし１８のいずれかに記載の方法。
【請求項２０】
動作を実行する回路組立てシステムであって、前記動作が、
入力信号（伝送信号）の複数の周波数を減衰させるように抵抗構成要素を構成すること、および
前記入力信号の周波数範囲内の第２の複数の周波数の部分を反射することによって前記周波数範囲内の前記第２の複数の周波数を減衰させるように、分散構成要素を構成すること
を含み、前記抵抗構成要素と前記分散構成要素が、ハイブリッド減衰器の２つのポート間に、互いに対して直列構成で配列されている、
回路組立てシステム。
【発明の詳細な説明】
【技術分野】
【０００１】
本発明は一般に、量子コンピューティングにおいて超伝導キュービット（superconducting qubit）とともに使用可能なデバイス、回路設計方法およびマイクロ波周波数減衰器の回路構築システムに関する。より詳細には、本発明は、量子マイクロ波回路用の分散−抵抗ハイブリッド減衰器（dispersive-resistive hybrid attenuator）のためのデバイス、方法およびシステムに関する。
【背景技術】
【０００２】
使用されている箇所で特に区別されていない限り、本明細書では以降、語または句の中の接頭辞「Ｑ」が、量子コンピューティングの文脈でその語または句に言及していることを示す。
【０００３】
分子および亜原子粒子（subatomic particle）は量子力学の法則に従う。量子力学は、物質界（physical world）がどのように機能しているのかを最も基本的なレベルで探究する物理学の一部門である。このレベルにおいて、粒子は奇妙な振舞いを示し、同時に２つ以上の状態をとり、非常に遠く離れた別の粒子と相互作用する。量子コンピューティングはこれらの量子現象を利用して情報を処理する。
【０００４】
現在我々が使用しているコンピュータは、古典的コンピュータ（本明細書では「従来型」コンピュータまたは従来型ノード（conventional node）ないし「ＣＮ」とも呼ぶ）として知られている。従来型コンピュータは、半導体材料および半導体技術、半導体メモリ、ならびに磁気または固体状態ストレージ・デバイスを使用して製造された従来型プロセッサを、フォン・ノイマン型アーキテクチャとして知られているアーキテクチャ内で使用する。具体的には、従来型コンピュータのプロセッサは、２進プロセッサ、すなわち１および０で表された２進データに対して演算を実行するプロセッサである。
【０００５】
量子プロセッサ（ｑプロセッサ）は、エンタングルされた（entangled）キュービット・デバイス（本明細書では簡潔に「キュービット」（「qubit」、複数形は「qubits」）と呼ぶ）の変わった性質を使用して、計算タスクを実行する。量子力学が機能する特定の領域において、物質の粒子は、例えば「オン」状態、「オフ」状態、および「オン」と「オフ」の両方を同時にとる状態など、多数の状態で存在しうる。半導体プロセッサを使用する２進コンピューティングは、（２進コードの１および０と等価の）オンおよびオフ状態だけを使用することに限定されているが、量子プロセッサは、物質のこれらの量子状態を利用して、データ・コンピューティングで使用可能な信号を出力する。
【０００６】
従来型コンピュータは、情報をビットとしてコード化する。それぞれのビットは１または０の値をとることができる。これらの１および０は、コンピュータ機能を最終的に駆動するオン／オフ・スイッチの働きをする。一方、量子コンピュータはキュービットに基づき、キュービットは、量子物理学の鍵となる２つの原理、すなわち重ね合わせ（superposition）およびエンタングルメント（entanglement）に従って動作する。
【０００７】
重ね合わせは、それぞれのキュービットが１と０の両方を同時に表すことができることを意味する。エンタングルメントは、重ね合わせの状態にあるキュービットを古典的でない手法で互いに相関させることができること、すなわち、１つの状態（それが１なのかもしくは０なのかまたはその両方であるのかは問わない）が別の状態に依存しうること、および２つのキュービットがエンタングルされているときの方が、それらの２つのキュービットが個別に処理されるときよりも、それらの２つのキュービットに関して確認することができるより多くの情報が存在することを意味する。
【０００８】
これらの２つの原理を使用して、キュービットは、従来型コンピュータを使用することによっては扱えない難しい問題を量子コンピュータが解決することを可能にする手法で量子コンピュータが機能することを可能にする、より洗練された情報プロセッサとして動作する。ＩＢＭ（Ｒ）は、超伝導キュービットを使用する量子プロセッサを構築し、その動作可能性（operability）を示すことに成功した（ＩＢＭは、米国および他の国におけるInternational Business Machines社の登録商標である）。
【０００９】
超伝導キュービットはジョセフソン接合を含む。ジョセフソン接合は、２つの薄膜超伝導金属層を非超伝導材料によって分離することによって形成される。これらの超伝導層の金属を、例えばその金属の温度を指定された極低温まで下げることによって超伝導性にすると、非超伝導層を通り抜けて一方の超伝導層からもう一方の超伝導層へ電子対がトンネリングすることができる。キュービットでは、分散非線形インダクタとして機能するジョセフソン接合が、１つまたは複数の容量デバイスと並列に電気的に結合されて、非線形マイクロ波発振器を形成する。この発振器は、キュービット回路のインダクタンスおよび静電容量の値によって決まる共振／遷移周波数を有する。使用されている箇所で特に区別されていない限り、用語「キュービット」への言及は、ジョセフソン接合を使用した超伝導キュービット回路への言及である。
【００１０】
キュービットによって処理された情報は、マイクロ波周波数範囲のマイクロ波信号／光子の形態で搬送または伝送される。それらのマイクロ波信号は、信号の中にコード化された量子情報を解読するために捕捉、処理および解析される。読出し回路は、キュービットの量子状態の捕捉、読出しおよび測定のためにキュービットに結合された回路である。読出し回路の出力は、計算を実行するためにｑプロセッサが使用できる情報である。
【００１１】
超伝導キュービットは２つの量子状態、すなわち｜０＞および｜１＞を有する。これらの２つの状態は、原子の２つのエネルギー状態、例えば超伝導人工原子（超伝導キュービット）の基底状態（｜ｇ＞）および第１の励起状態（｜ｅ＞）とすることができる。他の例は、核スピンまたは電子スピンのスピンアップとスピンダウン、結晶欠陥の２つの位置、量子ドットの２つの状態を含む。このシステムは量子性を有するため、これらの２つの状態の任意の組合せが許容され、有効である。
【００１２】
キュービットを使用した量子コンピューティングを信頼性の高いものにするためには、量子回路（ｑ回路）、例えばキュービット自体、キュービットに関連した読出し回路および量子プロセッサの他の部分が、エネルギーを注入しもしくは放散させることなどにより、キュービットのエネルギー状態をあまり変更してはならず、またはキュービットの｜０＞状態と｜１＞状態の間の相対位相に影響を与えてはならない。量子情報を使用して動作する回路に対するこの動作上の制約のため、このような回路で使用される半導体および超伝導構造体を製造する際には特別な考慮が必要となる。
【００１３】
現在入手可能な超伝導量子回路は、極低温で、例えば約１０〜１００ミリケルビン（ｍＫ）または約４Ｋの温度で超伝導になる材料を使用して形成されている。量子回路を制御し、動作させ、測定するために使用される電子回路は通常、超伝導量子回路を収容した希釈冷凍機（dilution fridge）の外側に配置されている。冷凍機の外側の温度は通常、約３００Ｋ（室温）である。
【００１４】
現在入手可能な超伝導量子回路は通常、マイクロ波周波数範囲で動作する。超伝導ｑ回路内で超伝導キュービットを初期化し、動作させ、制御し、測定するためにマイクロ波信号／パルスが使用される。冷凍機の外側の外部電子回路と冷凍機の内側の超伝導量子回路との間でこれらのマイクロ波信号をやりとりするために、希釈冷凍機の内側でマイクロ波伝送線が使用される。同軸線は、これらのマイクロ波信号を運ぶことができる伝送線の一例である。
【００１５】
現在入手可能な希釈冷凍機は、ミリケルビン温度まで試料／デバイスを冷却する目的に使用することができる極低温装置である。しかしながら、室温から冷凍機の内側のミリケルビン温度への遷移は突然に起こるものでもまたは急激に起こるものでもない。温度遷移および冷却操作を容易にするために、希釈冷凍機は、異なる周囲温度に維持された、熱的に分離された多数のステージ（本明細書では簡潔に「ステージ」（「stage」、複数形は「stages」）と呼ぶ）からなる。例えば、一般的な商用希釈冷凍機は、冷凍機の内側に、４０Ｋ、４Ｋ、０．７Ｋ、０．１Ｋ、０．０１Ｋ（ベース・ステージとしても知られている）の５つの温度ステージを有する。議論を単純にするため、以下では、冷凍機の内側の入力線に焦点を合わせる。冷凍機の内側の異なるステージ間の温度差を維持するため、および入力線を通って到来する、室温電子回路、またはより高いステージの黒体放射、または他の電磁雑音源を起源とする雑音から量子回路を保護するために、損失のある伝送線を使用して、２つの連続するステージ間を接続し、異なるステージのこれらの線の経路上に抵抗減衰器およびフィルタを組み込むことは、一般的に実施されていることである。一般に、構成要素は、以下のような多数の目的を果たす。構成要素は、これらの入力線を通って到来する雑音を減衰／低減させ、これらの線内を伝搬しているマイクロ波信号を減衰／低減させ、ステージ間の熱的分離を提供し、構成要素内を伝搬しているマイクロ波信号を冷却する。
【００１６】
ステージを通過する線上を伝搬している信号は雑音、特に電磁雑音を含みうる。この雑音は、マイクロ波周波数スペクトルまたは赤外スペクトルの雑音でありうる。線および信号が、ｑ回路を使用した量子コンピューティングに関係しているときには、本明細書に記載された理由から、電子、マイクロ波および赤外雑音は望ましくない。
【００１７】
信号の減衰は、その信号の特定の周波数または周波数範囲のパワーを低減させる過程である。減衰器は、２つのポートを有する電子回路であって、入力信号／雑音の特定の周波数または周波数範囲を減衰させるように構成された電子回路である。
【００１８】
抵抗減衰器は、伝送された信号（以後、伝送信号）もしくは雑音またはその両方のエネルギーを減衰器の抵抗構成要素内で放散させることにより、信号もしくは雑音またはその両方を減衰させる。分散減衰器は、伝送信号／雑音が入ったポートから伝送信号／雑音のエネルギー／パワーの一部分を反射することにより、分散減衰器の２つのポートを通過する伝送信号／雑音を減衰させる。
【００１９】
例示的な実施形態は、市販の標準マイクロ波減衰器が、抵抗減衰器または分散減衰器のどちらかであり、その両方ではないことを認識している。さらに、例示的な実施形態は、現在入手可能な抵抗マイクロ波減衰器のある不利な点を認識している。例えば、ほとんどの場合、現在入手可能な抵抗減衰器は、基板を取り囲んでいる金属ケースが、不十分な熱伝導係数を有するステンレス鋼であるように形成されている。さらに、抵抗減衰器の両方のポートに位置するコネクタのピンは、基板上の導体に機械的に押しつけられており、このことは不良な熱接触を与える。基板は、金属ケースの胴体に機械的に押しつけられており、このことも不良な熱接触を与える。さらに、これらの減衰器に対して使用されている基板材料は、理想からはほど遠い熱伝導係数を有する。
【００２０】
例示的な実施形態は、都合の悪いことに、現在入手可能な抵抗減衰器の減衰が低いほど、減衰器の中心導体と減衰器の金属ケースによって形成された減衰器の対応する外部導体（例えば大地）との間の熱抵抗および電気抵抗が大きいことをさらに認識している。例示的な実施形態は、現在入手可能な抵抗減衰器は現在、広い周波数帯にわたって固定された減衰を提供しており、減衰器の減衰レベルを周波数依存性にすること（すなわち、減衰レベルを周波数に対して固定すること）はできないことを認識している。さらに、現在入手可能な抵抗減衰器は、減衰器自体の内部にマイクロ波パワーを放散させる。このような吸収性の減衰は、以下のような望まれていないいくつかの結果を有しうる。（１）吸収性の減衰は、減衰器がステージに対して不十分に熱平衡化されている場合には特に、減衰器の温度を上昇させうる。このことは、減衰器を通過しているマイクロ波信号の冷却を弱めることにつながる。（２）吸収性の減衰は、多くの減衰器および限られた冷却能を有する場合には特に、ステージの温度を上昇させうる。（３）吸収性の減衰は、より低温のステージへ向かう黒体放射を増大させうる。
【００２１】
例示的な実施形態は、現在入手可能な分散型の商用マイクロ波減衰器のある不利な点も認識している。それらの減衰器は、上に概説した抵抗減衰器と同様の熱平衡化の問題を有する。さらに、それらの減衰器は、線内における信号の多数の反射の原因となりうる。この反射は、マイクロ波パルス／信号の歪み、混信、および被測定信号のリップルを引き起こしうる。
【発明の概要】
【００２２】
例示的な実施形態は、電子式減衰デバイス、回路設計方法、およびハイブリッド・マイクロ波減衰器回路を構築するためのシステムを提供する。一実施形態は、入力信号の複数の周波数を減衰させるように構成された抵抗構成要素を含む減衰器回路を構築する。この実施形態は、上記減衰器回路内に、上記入力信号の周波数範囲内の第２の複数の周波数の部分を反射することによって周波数範囲内の上記第２の複数の周波数を減衰させるように構成された分散構成要素であって、上記抵抗構成要素と上記分散構成要素が、互いに対して直列構成で配列されている、上記分散構成要素をさらに含む。
【００２３】
一実施形態では、上記減衰器回路が、低域フィルタおよび高域フィルタをさらに含む。
【００２４】
別の実施形態では、上記低域フィルタが、上記入力信号のキュービット周波数範囲内の周波数およびキュービット周波数範囲よりも高い周波数に関して、しきい減衰よりも大きな減衰を提供し、上記高域フィルタが、上記入力信号のキュービット周波数範囲内の周波数およびキュービット周波数範囲よりも低い周波数に関して、上記しきい減衰よりも大きな減衰を提供する。
【００２５】
別の実施形態では、上記低域フィルタが、誘導素子と容量素子の構成を含み、この構成が、上記容量素子が外部導体に結合されているような構成であり、この外部導体が、減衰器ケースまたはハウジングの部分である。
【００２６】
別の実施形態では、上記高域フィルタが、誘導素子と容量素子の構成を含み、この構成が、上記誘導素子が外部導体に結合されているような構成であり、この外部導体が、減衰器ケースまたはハウジングの部分である。
【００２７】
別の実施形態では、上記分散構成要素が帯域通過フィルタをさらに含む。
【００２８】
別の実施形態では、上記帯域通過フィルタが、入力信号のキュービット読出し周波数範囲の外側の周波数に関して、しきい減衰よりも大きな減衰を提供する。
【００２９】
別の実施形態では、上記帯域通過フィルタが、誘導素子と容量素子の構成を含み、この構成が、これらの容量素子のうちの少なくとも１つの容量素子が内部導体に結合されて直流遮断物として動作し、これらの誘導素子のうちの少なくとも１つの誘導素子が外部導体に結合されているような構成であり、この外部導体が、減衰器ケースまたはハウジングの部分である。
【００３０】
別の実施形態では、上記抵抗構成要素が、Ｔ型配列に構成された一組の抵抗素子を備える。
【００３１】
別の実施形態では、上記抵抗構成要素が、π型配列に構成された一組の抵抗素子を備える。
【００３２】
別の実施形態では、上記抵抗構成要素が、入力信号の全ての周波数に関して、しきい減衰よりも大きな減衰を提供する。
【００３３】
一実施形態は、上記減衰回路を構築するための方法を含む。
【００３４】
一実施形態は、上記減衰回路を構築するためまたは組み立てるためのシステムを含む。
【００３５】
添付の特許請求の範囲には、本発明の特徴と考えられる新規の特徴が記載されている。しかしながら、本発明自体、ならびに本発明の好ましい使用形態、さらに本発明の目的および利点は、例示的な実施形態の以下の詳細な説明を添付図面とともに読んだときに、その説明を参照することによって最もよく理解される。
【図面の簡単な説明】
【００３６】
【図１】例示的な実施形態による、量子コンピューティング・デバイスの入力線調整の例示的な構成のブロック図である。
【図２】例示的な実施形態によるハイブリッド減衰器の構成要素として使用することができる、現在入手可能な抵抗マイクロ波減衰器の例を示す図である。
【図３】例示的な実施形態によるハイブリッド減衰器の例示的な一構成を示す図である。
【図４】例示的な実施形態によるハイブリッド減衰器を実施する例示的な回路を示す図である。
【図５】ハイブリッド減衰器の一例の散乱パラメータのマイクロ波シミュレーション結果を示す図である。
【図６】例示的な実施形態によるハイブリッド減衰器の別の例示的な構成を示す図である。
【図７】例示的な実施形態によるハイブリッド減衰器を実施する例示的な回路を示す図である。
【図８】ハイブリッド減衰器の一例の散乱パラメータのマイクロ波シミュレーション結果を示す図である。
【発明を実施するための形態】
【００３７】
本発明を説明するために使用される例示的な実施形態は一般に、主にｑ回路に接続する入力線のある種のマイクロ波信号を減衰させるための上述の必要性に対処し、それらの必要性を解決する。例示的な実施形態は、上述の必要性または問題に対処する量子マイクロ波回路用の分散−抵抗ハイブリッド減衰器を提供する。
【００３８】
１つまたは複数の周波数に関して実行されると本明細書に記載されている動作は、その１つまたは複数の周波数の信号に関して実行されると解釈すべきである。使用されたときに明白に区別されていない限り、「信号」に対する全ての言及はマイクロ波信号に対する言及である。
【００３９】
一実施形態は、抵抗特性と分散特性の両方を示すハイブリッド・マイクロ波減衰器（本明細書では相互に交換可能に「ハイブリッド減衰器」とも呼ぶ）の構成を提供する。別の実施形態は、ソフトウェア・アプリケーションとして実施することができるような形で、ハイブリッド減衰器の設計／構築方法を提供する。設計／構築方法の実施形態を実施するこのアプリケーションは、回路組立てシステムなどの既存の回路製造システムとともに機能するように構成することができる。
【００４０】
説明を明瞭にするため、その説明に限定される含意なしに、例示的な実施形態は、いくつかの例示的な構成を使用して説明される。この開示から、当業者は、記載された目的を達成するための記載された構成の多くの改変、適合および変更を考案することができ、それらは、例示的な実施形態の範囲内で企図される。
【００４１】
さらに、図および例示的な実施形態では、例示的な抵抗器、インダクタ、コンデンサおよびその他の回路構成要素の簡略図が使用される。実際の回路には、例示的な実施形態の範囲を逸脱することなく、本明細書に示されていないもしくは本明細書に記載されていない追加の構造体もしくは構成要素、または、示された構造体もしくは構成要素とは異なるが本明細書に記載された機能と同様の機能を有する構造体もしくは構成要素が存在することがある。
【００４２】
さらに、実際のまたは仮定の特定の構成要素に関して、例示的な実施形態は単なる例として記載されている。例示的なさまざまな実施形態によって説明されたステップを、ハイブリッド減衰器内の記載された機能を提供することを目的としうる、またはそのような機能を提供するために転用しうるさまざまな構成要素を使用して回路を製造するように適合させることができ、そのような適合は、例示的な実施形態の範囲に含まれることが企図される。
【００４３】
例示的な実施形態は、あるタイプの材料、電気特性、ステップ、数、周波数、回路、構成要素および用途に関して、単なる例として説明される。これらのアーチファクトおよび他の同様のアーチファクトの特定の表現物（manifestation）が本発明を限定することは意図されていない。例示的な実施形態の範囲内で、これらのアーチファクトおよび他の同様のアーチファクトの適当な表現物を選択することができる。
【００４４】
本開示の例は、説明を明瞭にするためだけに使用され、例示的な実施形態を限定するものではない。本明細書に挙げられた利点は単なる例であり、それらの利点が例示的な実施形態を限定することは意図されていない。特定の例示的な実施形態によって追加の利点または異なる利点を実現することができる。さらに、特定の例示的な実施形態は、上に挙げた利点の一部もしくは全部を有することがあり、または上に挙げた利点を１つも持たないことがある。
【００４５】
図１を参照すると、この図は、例示的な実施形態による、量子コンピューティング・デバイスの入力線調整の例示的な構成のブロック図を示している。構成１００は、１つまたは複数の希釈冷凍機ステージ１０２、１０４、．．．１０６からなる一組の希釈冷凍機ステージを備える。入力線１０８が外部回路をｑ回路１１０に接続している。線１０８がｑ回路１１０にマイクロ波信号を伝達すると仮定すると、信号Ｓ１は、信号Ｓ１とともに減衰させられるマイクロ波雑音を含む信号である。信号Ｓｎは、ｑ回路１１０に到達する減衰後の信号である。
【００４６】
一実施形態は、ステージ１０２〜１０６のうちの全てではない一部のステージを備えるハイブリッド減衰器を構成している。別の実施形態は、図１に示されているように、ステージ１０２〜１０６のそれぞれのステージを備えるハイブリッド減衰器を構成している。例えば、ハイブリッド減衰器１１２は、ステージ１０２とともに動作するように構成されている。ハイブリッド減衰器１１２は、入力信号Ｓ１と、一連のステージの中の後続のステージからの反射信号ＳＲ２とを受け取る。ハイブリッド減衰器１１２は、（Ｓ１＋ＳＲ２）信号の１つの周波数または周波数帯を減衰させて信号Ｓ２を生成する。
【００４７】
ハイブリッド減衰器１１４は、ステージ１０４とともに動作するように構成されている。ハイブリッド減衰器１１４は、入力信号Ｓ２と、一連のステージの中の後続のステージからの反射信号ＳＲ３とを受け取る。ハイブリッド減衰器１１４は、（Ｓ２＋ＳＲ３）信号の異なる周波数または周波数帯を減衰させて信号Ｓ３を生成する。このように動作した後、ステージ１１６（ステージｎ）は、ステージ１１６（ステージｎ）と一緒に構成されたハイブリッド減衰器１１６を有する。ハイブリッド減衰器１１６は、一連のステージの中の前のステージからの入力信号Ｓｎ−１（と、ことによると、ｑ回路１１０がいずれかの信号周波数を反射するように構成されている場合には、図示されていない反射信号と）を受け取る。ハイブリッド減衰器１１６は、（Ｓｎ−１＋反射周波数）信号の異なる周波数または周波数帯を減衰させて、ｑ回路１１０への入力を形成する信号Ｓｎを生成する。
【００４８】
図２を参照すると、この図は、例示的な実施形態によるハイブリッド減衰器の構成要素として使用することができる、現在入手可能な抵抗マイクロ波減衰器の例を示している。回路２００は、Ｔ型構成を使用してポート１とポート２との間に形成された例示的な１０ｄＢ集中定数素子（lumped-element）抵抗減衰器（すなわち大地に通じる１つの抵抗器によって中央で接続された２つの等しい直列抵抗器）を実施する。マイクロ波工学の用語では、Ｓ１２が、ポート２に入り、ポート１から出る信号（すなわちポート１からポート２への伝送）の散乱パラメータを表す。同様に、Ｓ２１は、ポート１に入り、ポート２から出る信号の散乱パラメータを表す。Ｓ１１およびＳ２２はそれぞれ、ポート１に入った信号およびポート２に入った信号の反射パラメータを表す。
【００４９】
グラフ２０２は、抵抗減衰器２００の散乱パラメータのマイクロ波シミュレーション結果を示している。グラフ２０２で分かるとおり、このデバイスを通過する伝送信号（散乱パラメータＳ２１およびＳ１２の振幅によって表されている）は、大きな帯域幅にわたって１０ｄＢだけ減衰する。さらに、反射パラメータＳ１１およびＳ２２の無視できる振幅によって示されているように、このデバイスは、両方のポート上の５０オームによく整合している。このことは、デバイス・ポートからの反射がほとんどないことを意味している。伝送信号の失われたエネルギーは、回路２００の抵抗器内で熱として放散される。
【００５０】
図３を参照すると、この図は、例示的な実施形態によるハイブリッド減衰器の例示的な一構成を示している。ハイブリッド減衰器３００のこの図のこの例示的な構成、すなわち変形構成（variation）１は、抵抗減衰器３０２、低域フィルタ３０４および高域フィルタ３０６を備える。例示的な実施形態の範囲内で、これらの構成要素をさまざまな配列に配列することができる。例えば、１つの配列を、示されたとおりの順序の３０４−３０２−３０６（すなわち低域フィルタ３０４、続いて抵抗減衰器３０２、続いて高域フィルタ３０６）とすることができる。他の配列は、３０２−３０４−３０６、３０４−３０６−３０２、３０６−３０２−３０４、３０６−３０４−３０２、および同様の方式の可能な他の配列とすることができる。
【００５１】
ハイブリッド減衰器３００は分散−抵抗減衰器であり、２ポート集積回路として実施することができる。低域フィルタ３０４は、しきい周波数よりも高い周波数帯をフィルタ除去する（しきい周波数よりも低い周波数帯を通過させる）分散フィルタである。抵抗減衰器３０２は、図２の抵抗減衰器２００の方式で動作する抵抗または吸収フィルタである。高域フィルタ３０６は、しきい周波数よりも低い周波数帯をフィルタ除去する（しきい周波数よりも高い周波数帯を通過させる）分散フィルタである。一実施形態によれば、回路組立てシステムが、同じチップまたはプリント回路板上で、これらの３つの構成要素３０２、３０４および３０６を形成および接続する。
【００５２】
図４を参照すると、この図は、例示的な実施形態によるハイブリッド減衰器を実施する例示的な回路を示している。構成要素４０２は、抵抗減衰器、すなわち図３の構成要素３０２を実施する抵抗素子である。構成要素４０４は、低域フィルタ、すなわち図３の構成要素３０４を実施する分散素子である。構成要素４０６は、高域フィルタ、すなわち図３の構成要素３０６を実施する分散素子である。
【００５３】
構成要素４０２は、図２の場合と同様に、抵抗素子Ｒ１、Ｒ２およびＲ３のＴ構成を備える。構成要素４０２および抵抗器Ｒ１、Ｒ２およびＲ３のこの描写は、集中定数実現形態（lumped realization）、すなわち、マイクロ波周波数帯の抵抗減衰器としての構成要素４０２の有効な機能の表現であることに留意されたい。この構成要素の等価のπ構成も存在し、その構成は、図示されたこの非限定的な例示的構成と相互に交換可能である。
【００５４】
構成要素４０４は、示されているとおり、一方の側が大地、すなわちハイブリッド減衰器の外部導体に結合され、もう一方の側が、ハイブリッド減衰器の中心導体を介して誘導素子Ｌ１に結合された、容量素子Ｃ１およびＣ２のπ型配列を備える。構成要素４０４ならびに素子Ｃ１、Ｃ２およびＬ１のこの描写は、集中定数実現形態、すなわちマイクロ波周波数帯の低域フィルタとしての構成要素４０４の有効な機能の表現である。この例は、単純な１単位セル低域フィルタを示している。この設計は、図４に示された単純な低域フィルタの代わりに、いくつかの単位セルからなり、その減衰、伝送、帯域幅、カットオフ周波数およびリップル特性がさらにまたは異なる形で最適化された、より高度な低域フィルタが使用されている場合もカバーする。
【００５５】
構成要素４０６は、示されているとおり、一方の側が大地、すなわちハイブリッド減衰器の外部導体に結合され、もう一方の側が、ハイブリッド減衰器の中心導体を介して容量素子Ｃ３に結合された、誘導素子Ｌ２およびＬ３のπ型配列を備える。構成要素４０６ならびに素子Ｌ２、Ｌ３およびＣ３のこの描写は、集中定数実現形態、すなわちマイクロ波周波数帯の高域フィルタとしての構成要素４０６の有効な機能の表現である。この例は、単純な１単位セル高域フィルタを示している。この設計は、図４に示された単純な高域フィルタの代わりに、いくつかの単位セルからなり、その減衰、伝送、帯域幅、カットオフ周波数およびリップル特性がさらにまたは異なる形で最適化された、より高度な高域フィルタが使用されている場合もカバーする。
【００５６】
構成要素４０６では、ハイブリッド減衰器の中心導体上の容量素子Ｃ３が、冷凍機内での接地ループの形成を排除する目的に使用することができる直流（ＤＣ）遮断物（block）の役目を果たす。このような接地ループは、電子雑音を発生させうるため望ましくない。さらに、誘導素子Ｌ２およびＬ３は、ハイブリッド減衰器の中心導体と外部導体との間の無視できる抵抗の経路を提供する。このような低抵抗の電気−熱経路は、かなりの電気−熱抵抗によって中心導体が大地（減衰器ケース）から熱的に分離されている抵抗減衰器だけの場合に比べて、ハイブリッド減衰器の中心導体の熱平衡化を大幅に改善することができる。
【００５７】
構成要素４０２、４０４および４０６のこれらの集中定数実現形態は、限定を意図したものではない。この開示から、当業者は、図示された集中定数実現形態に対する他の多くの実施態様を考案すること、例えば、追加の素子または異なる素子を使用して本明細書に示された集中定数実現形態の機能と同様の機能を達成することができ、そのような実施態様は、例示的な実施形態の範囲内で企図される。
【００５８】
図５を参照すると、この図は、ハイブリッド減衰器の一例の散乱パラメータのマイクロ波シミュレーション結果を示している。図５に散乱パラメータが示されているハイブリッド減衰器回路は、図４に示された集中定数素子回路４００に基づく。詳細には、この非限定的な例示的実施態様では、Ｒ１およびＲ２をそれぞれ２７オームに設定し、Ｒ３を３６オームに設定し、Ｌ１を３．１８ナノヘンリー（ｎＨ）に設定し、Ｃ１およびＣ２をそれぞれ０．６４ピコファラド（ｐＦ）に設定し、Ｌ２およびＬ３をそれぞれ２．６５ｎＨに設定し、Ｃ３を０．５３ｐＦに設定した。
【００５９】
図５では、グラフ５０２が伝送パラメータＳ２１およびＳ１２を表しており、グラフ５０６および５０４がそれぞれ、反射パラメータＳ１１およびＳ２２を表している。グラフ５０２は、超伝導キュービット周波数範囲（例えば３〜５ＧＨｚ）よりも高い周波数の伝送信号に対するかなりの減衰（例えば７ＧＨｚにおいて２０ｄＢ）、および超伝導キュービット周波数範囲よりも低い周波数の伝送信号に対するかなりの減衰（例えば２ＧＨｚにおいて２０ｄＢ）を示しており、キュービット信号範囲の信号は、適度な減衰（すなわち約１０ｄＢの減衰）で通過することができる。
【００６０】
図６を参照すると、この図は、例示的な実施形態によるハイブリッド減衰器の例示的な別の構成を示している。ハイブリッド減衰器６００のこの図のこの例示的な構成、すなわち変形構成２は、抵抗減衰器６０２および帯域通過（または帯域阻止）フィルタ６０４を備える。例示的な実施形態の範囲内で、これらの構成要素をさまざまな配列に配列することができる。例えば、１つの配列を、示されたとおりの順序の６０４−６０２（すなわち帯域通過フィルタ６０４、続いて抵抗減衰器６０２）とすることができる。他の配列は、異なる周波数帯に対して６０２−６０４、６０４−６０２−６０４、および同様の方式の可能な他の配列とすることができる。
【００６１】
ハイブリッド減衰器６００は分散−抵抗減衰器であり、２ポート集積回路として実施することができる。帯域通過フィルタ６０４は、２つのしきい周波数間の周波数帯を通過させる（この通過帯域外の周波数を減衰させる／遮断する）分散フィルタである。抵抗減衰器６０２は、図３の抵抗減衰器３０２の方式で動作する抵抗または吸収フィルタである。一実施形態によれば、回路組立てシステムが、同じチップまたはプリント回路板上でこれらの２つの構成要素６０２および６０４を形成し、互いに接続する。
【００６２】
図７を参照すると、この図は、例示的な実施形態によるハイブリッド減衰器を実施する例示的な回路を示している。構成要素７０２は、図３の構成要素３０２と同様の方式で抵抗減衰器を実施する抵抗素子である。構成要素７０４は、図３の構成要素３０４および３０６に代わる帯域通過フィルタを実施し、同様の役割を果たす分散素子である。
【００６３】
構成要素７０２は、図２の場合と同様に、抵抗素子Ｒ４、Ｒ５およびＲ６のＴ構成を備える。構成要素７０２および抵抗器Ｒ４、Ｒ５およびＲ６のこの描写は、集中定数実現形態、すなわち、マイクロ波周波数帯の抵抗減衰器としての構成要素７０２の有効な機能の表現であることに留意されたい。
【００６４】
構成要素７０４は、一方の側が大地、すなわちハイブリッド減衰器の外部導体に結合された、並列の容量素子Ｌ６およびＣ６の構成を備える。Ｌ６−Ｃ６は、示されているとおり、もう一方の側が、ハイブリッド減衰器の内部導体を介してＬ４−Ｃ４直列およびＬ５−Ｃ５直列に結合している。構成要素７０４および素子Ｌ４〜Ｌ６およびＣ４〜Ｃ６のこの描写は、集中定数実現形態、すなわちマイクロ波周波数帯の帯域通過フィルタとしての構成要素７０４の有効な機能の表現である。この例は、単純な１単位セル帯域通過フィルタを示している。この設計は、図７に示された単純な帯域通過フィルタの代わりに、いくつかの単位セルからなり、その減衰、伝送、帯域幅、カットオフ周波数およびリップル特性がさらにまたは異なる形で最適化された、より高度な帯域通過フィルタが使用されている場合もカバーする。
【００６５】
構成要素７０４では、ハイブリッド減衰器の内部導体上の容量素子Ｃ４およびＣ５が、冷凍機内での接地ループの形成を排除する目的に使用することができるＤＣ遮断物の役目を果たす。このような接地ループは、電子雑音を発生させうるため望ましくない。ハイブリッド減衰器の中心導体と外部導体とを接続している誘導素子Ｌ６は、ハイブリッド減衰器の中心導体と外部導体との間の無視できる抵抗の経路を提供する。このような低抵抗の電気−熱経路は、かなりの電気−熱抵抗によって中心導体が大地（減衰器ケース）から熱的に分離されている抵抗減衰器だけの場合に比べて、ハイブリッド減衰器の中心導体の熱平衡化を大幅に改善することができる。
【００６６】
構成要素７０２および７０４のこれらの集中定数実現形態は、限定を意図したものではない。この開示から、当業者は、図示された集中定数実現形態に対する他の多くの実施態様を考案すること、例えば、追加の素子または異なる素子を使用して本明細書に示された集中定数実現形態の機能と同様の機能を達成することができ、そのような実施態様は、例示的な実施形態の範囲内で企図される。
【００６７】
図８を参照すると、この図は、ハイブリッド減衰器の一例の散乱パラメータのマイクロ波シミュレーション結果を示している。図８に散乱パラメータが示されているハイブリッド減衰器回路は、図７に示された集中定数素子回路７００に基づく。詳細には、この非限定的な例示的実施態様では、Ｒ４およびＲ５をそれぞれ２７オームに設定し、Ｒ６を３６オームに設定し、Ｌ４およびＬ５をそれぞれ３．９８ｎＨに設定し、Ｃ４およびＣ５をそれぞれ０．３９８ｐＦに設定し、Ｌ６を０．４９７ｎＨに設定し、Ｃ６を３．１８ｐＦに設定した。
【００６８】
グラフ８０４Ａおよび８０４Ｂはそれぞれ、図７に示された例示的なハイブリッド減衰器構成の反射パラメータＳ１１およびＳ２２を表している。グラフ８０４Ａは、約３から５ＧＨｚであるキュービット信号の周波数範囲の外側のかなりの反射を示している。一方、グラフ８０４Ｂは、キュービット周波数範囲の５０オーム（すなわちハイブリッド減衰器の外部ポートの特性インピーダンス）に対する良好な整合を示している。
【００６９】
グラフ８０６は、図７に示された例示的なハイブリッド減衰器の伝送パラメータＳ２１およびＳ１２を表している。グラフ８０６は、キュービット周波数範囲よりも高い周波数および低い周波数でのかなりの減衰を示している。帯域通過フィルタ７０４を伴う構成要素７０２の構成は、入力信号の約３から５ＧＨｚであるキュービット信号の範囲内で、約−１０〜−１２デシベル（ｄＢ）の低レベルの減衰を生み出し、したがって、キュービット信号を比較的に小さな減衰で通過させ、その一方で、キュービット範囲の外側の雑音および信号を抑制した。キュービット・パルスのパワーが大きくなるにつれて量子ゲートの持続時間が低下するとき（例えば交差共鳴ゲート（cross-resonance gate））、キュービット信号のこのような適度な減衰は有用となろう。
【００７０】
本明細書では、本発明のさまざまな実施形態が関連図を参照して説明される。本発明の範囲を逸脱することなく代替実施形態を考案することができる。以下の説明および図面には、要素間のさまざまな接続および位置関係（例えば上、下、隣りなど）が記載されているが、たとえ向きが変わっても記載された機能が維持されるときには、本明細書に記載された位置関係の多くは向きに依存しないことを当業者は理解するであろう。これらの接続もしくは位置関係またはその両方は、特に指定されていない限り、直接的なものであることまたは間接的なものであることができ、本発明は、この点に関して限定を意図したものではない。したがって、実在物の結合は、直接結合または間接結合であることがあり、実在物間の位置関係は、直接的位置関係または間接的位置関係であることができる。間接的位置関係の例として、本明細書の説明に、層「Ａ」を層「Ｂ」の上に形成すると記載されているとき、それは、層「Ａ」および層「Ｂ」の関連特性および機能が中間層（例えば層「Ｃ」）によって実質的に変更されない限りにおいて、層「Ａ」と層「Ｂ」の間に１つまたは複数の中間層が存在する状況を含む。
【００７１】
特許請求の範囲および本明細書の解釈のために、以下の定義および略語が使用される。本明細書で使用されるとき、用語「備える（comprises）」、「備える（comprising）」、「含む（includes）」、「含む（including）」、「有する（has）」、「有する（having）」、「含有する（contains）」もしくは「含有する（containing）」、またはこれらの用語の他の変異語は、非排他的包含（non-exclusive inclusion）をカバーすることが意図されている。例えば、要素のリストを含む組成物、混合物、プロセス、方法、物品または装置は、必ずしもそれらの要素だけに限定されるわけではなく、明示的にはリストに入れられていない他の要素、あるいはこのような組成物、混合物、プロセス、方法、物品または装置に固有の他の要素を含みうる。
【００７２】
さらに、本明細書では、用語「例示的な」が、「例、事例または実例として役立つ」ことを意味するものとして使用されている。本明細書に「例示的」として記載された実施形態または設計は必ずしも、他の実施形態または設計よりも好ましいまたは有利であるとは解釈されない。用語「少なくとも１つの」および「１つまたは複数の」は、１以上の任意の整数、すなわち１、２、３、４などを含むと理解される。用語「複数」は、２以上の任意の整数、すなわち２、３、４、５などを含むと理解される。用語「接続」は、間接「接続」および直接「接続」を含みうる。
【００７３】
本明細書において「一実施形態」、「実施形態」、「例示的な実施形態」などに言及されているとき、それは、記載されたその実施形態は特定の特徴、構造もしくは特性を含みうるが、全ての実施形態がその特定の特徴、構造もしくは特性を含むことがあり、またはそうではないこともあることを示す。さらに、このような句が、同じ実施形態を指しているとは限らない。さらに、１つの実施形態に関して特定の特徴、構造または特性が記載されているとき、明示的に記載されているか否かを問わず、他の実施形態に関してそのような特徴、構造または特性に影響を及ぼすことは、当業者の知識の範囲内にある。
【００７４】
用語「約」、「実質的に」、「およそ」およびこれらの用語の変異語は、特定の数量の大きさに関連した、本出願の提出時に利用可能な機器に基づく誤差の程度を含むことが意図されている。例えば、「約」は、所与の値の±８％、５％または２％の範囲を含みうる。
【００７５】
本発明のさまざまな実施形態の以上の説明は、例示のために示したものであり、以上の説明が網羅的であること、または、以上の説明が、開示された実施形態だけに限定されることは意図されていない。当業者には、記載された実施形態の範囲と精神を逸脱しない多くの変更および変形が明らかとなろう。本明細書で使用した用語は、実施形態の原理、実用的用途、もしくは市販されている技術にはない技術的改良点を最もよく説明するように、または本明細書に開示された実施形態を当業者が理解できるように選択された。
【図１】
2021535591.tif 000003
【図２】
2021535591.tif 000004
【図３】
2021535591.tif 000005
【図４】
2021535591.tif 000006
【図５】
2021535591.tif 000007
【図６】
2021535591.tif 000008
【図７】
2021535591.tif 000009
【図８】
2021535591.tif 000010
【国際調査報告】
2021535591.tif 000011
2021535591.tif 000012
2021535591.tif 000013